(57)【要約】【課題】換算対象に換算されたユーザーの支払金額を含むレシートを発行するためのレシート発行システム、レシート発行方法、および非一時的コンピューター可読媒体を提供する。【解決手段】レシート発行システム１００は、プロセッサー１１０と、複数のモジュール１４０を保存しているメモリー１３０と、支払情報提供者に関する支払情報提供者情報１６２と、換算対象に関する換算対象情報１６３とが保存されているデータベース１６０とを含む。複数のモジュール１４０は、支払情報提供者から、ユーザーの支払金額を含む支払情報を取得する支払情報取得モジュール１４２と、支払情報および換算対象情報１６３に基づいて、ユーザーの支払金額を換算対象に換算する換算モジュール１４３と、換算対象に換算されたユーザーの支払金額を含むレシートを発行するレシート発行モジュール１４４とを含む。【選択図】図２
2018180835.tif 000002
【特許請求の範囲】
【請求項１】
プロセッサーと、
前記プロセッサーに通信可能に接続され、前記プロセッサーにより実行可能な複数のモジュールを保存しているメモリーと、
ユーザーによって指定された支払情報提供者に関する支払情報提供者情報と、前記ユーザーによって指定された換算対象に関する換算対象情報とが保存されているデータベースと、を含み
前記複数のモジュールは、
前記ユーザーによって指定された前記支払情報提供者から、前記ユーザーの支払金額を含む支払情報を取得するための支払情報取得モジュールと、
前記支払情報および前記換算対象情報に基づいて、前記ユーザーの前記支払金額を前記換算対象に換算するための換算モジュールと、
前記換算対象に換算された前記ユーザーの前記支払金額を含むレシートを発行するためのレシート発行モジュールと、を含むことを特徴とするレシート発行システム。
【請求項２】
前記レシート発行システムは、所定の時間間隔で、前記ユーザーの前記支払金額を含む前記レシートを発行する請求項１に記載のレシート発行システム。
【請求項３】
前記レシート発行モジュールは、前記換算対象に換算された前記ユーザーの前記支払金額を表す画像を含むレシートを発行する請求項１または２に記載のレシート発行システム。
【請求項４】
換算対象に換算されたユーザーの支払金額を含むレシートを発行するためのレシート発行方法であって、
プロセッサーを用いて、前記ユーザーによって指定された支払情報提供者から、前記ユーザーの前記支払金額を含む支払情報を取得する工程と、
前記プロセッサーを用いて、前記支払情報およびデータベース内に保存されている換算対象情報に基づいて、前記ユーザーの前記支払金額を前記換算対象に換算する工程と、
前記プロセッサーを用いて、前記換算対象に換算された前記ユーザーの前記支払金額を含むレシートを発行する工程と、を含むことを特徴とするレシート発行方法。
【請求項５】
換算対象に換算されたユーザーの支払金額を含むレシートを発行するためにコンピューターにより実行されるコンピューター可読命令を保存している非一時的コンピューター可読媒体であって、前記コンピューター可読命令は、
前記ユーザーによって指定された支払情報提供者から、前記ユーザーの前記支払金額を含む支払情報を取得するための命令と、
前記支払情報およびデータベース内に保存されている換算対象情報に基づいて、前記ユーザーの前記支払金額を前記換算対象に換算するための命令と、
前記換算対象に換算された前記ユーザーの前記支払金額を含むレシートを発行するための命令と、を含むことを特徴とする非一時的コンピューター可読媒体。
【発明の詳細な説明】
【技術分野】
【０００１】
本発明は、レシート発行システム、レシート発行方法、および非一時的コンピューター可読媒体に関し、特に、換算対象に換算されたユーザーの支払金額を含むレシートを発行するためのレシート発行システム、レシート発行方法、および非一時的コンピューター可読媒体に関する。
【背景技術】
【０００２】
近年、マネーロンダリング犯罪の防止、マイナス金利の効果押し上げ、フィンテック（ＦｉｎＴｅｃｈ：情報技術を駆使した金融サービス）の普及等の様々な要因により、紙幣や硬貨の流通数が減少する一方、電子マネーや電子決済の利用は増加している。このような電子マネーや電子決済の利用は大人の間だけでなく、子供の間にまで普及してきている。
【０００３】
電子マネーや電子決済の利用は、支払いに要する手間が少なく、非常に便利なため、気軽に買い物（オンラインショッピングやゲームに対する課金）を楽しむことができる。しかしながら、電子マネーや電子決済を利用する場合、紙幣や硬貨を介せず買い物を実行できるため、実際にお金を支払って、買い物をしているという実感が乏しくなる。そのため、電子マネーや電子決済の利用による買い物を繰り返すと、金銭感覚が麻痺していき、浪費癖に繋がる懸念がある。
【０００４】
一方、電子マネーや電子決済の利用の際に、電子レシートや電子利用明細書等を発行することが広く行われている（例えば、特許文献１参照）。ユーザーは、発行される電子レシートや電子利用明細書等を確認することにより、実際に買い物を実行したのだという実感を得ることができる。そのため、電子レシートの発行は、金銭感覚の麻痺や浪費癖の防止に有効である。
【０００５】
このような電子レシートや電子利用明細書等に表示される情報は、購入した品の名前や数量、支払金額である。金銭感覚を十分に身に着けた大人であれば、電子レシートや電子利用明細書等に表示された支払金額を確認することにより、今回の支払いは、毎月の収入の何％、ランチ何回分、コンビニバイトの時給何時間分に相当するといったことをイメージすることは容易である。したがって、金銭感覚を十分に身に着けた大人は、電子レシートに表示される支払金額を確認することにより、自身のお金の消費スピードをコントロールすることができる。
【０００６】
しかしながら、実際の紙幣や硬貨を使う機会が減少した大人や金銭感覚が未熟な子供にとって、このような電子レシートや電子利用明細書等に表示された支払金額を確認したとしても、その額が一体どの程度の価値に相当するのかをイメージすることは困難である。そのため、実際の紙幣や硬貨を使う機会が減少した大人や金銭感覚が未熟な子供が電子レシートや電子利用明細書等に表示された支払った支払金額を確認したとしても、自身のお金の消費スピードをコントロールすることは困難である。結果として、電子レシートや電子利用明細書等を発行したとしても、電子マネーや電子決済の利用が、金銭感覚の麻痺や浪費癖に繋がってしまう懸念がある。
【先行技術文献】
【特許文献】
【０００７】
【特許文献１】特開２０１６−２２４６５２
【発明の概要】
【発明が解決しようとする課題】
【０００８】
上述のような従来技術における問題を鑑み、本発明者は、実際の紙幣や硬貨を使う機会が減少した大人や金銭感覚の未熟な子供であっても、電子マネーまたは電子決済を利用することによって支払った金額がどの程度の価値に相当するのかを容易に理解することができるレシートを発行することができる本発明に想到するに至った。
【０００９】
本発明の目的は、換算対象に換算されたユーザーの支払金額を含むレシートを発行するためのレシート発行システム、レシート発行方法、および非一時的コンピューター可読媒体を提供することにある。
【課題を解決するための手段】
【００１０】
このような目的は、下記の（１）〜（５）の本発明により達成される。
（１）プロセッサーと、
前記プロセッサーに通信可能に接続され、前記プロセッサーにより実行可能な複数のモジュールを保存しているメモリーと、
ユーザーによって指定された支払情報提供者に関する支払情報提供者情報と、前記ユーザーによって指定された換算対象に関する換算対象情報とが保存されているデータベースと、を含み
前記複数のモジュールは、
前記ユーザーによって指定された前記支払情報提供者から、前記ユーザーの支払金額を含む支払情報を取得するための支払情報取得モジュールと、
前記支払情報および前記換算対象情報に基づいて、前記ユーザーの前記支払金額を前記換算対象に換算するための換算モジュールと、
前記換算対象に換算された前記ユーザーの前記支払金額を含むレシートを発行するためのレシート発行モジュールと、を含むことを特徴とするレシート発行システム。
【００１１】
（２）前記レシート発行システムは、所定の時間間隔で、前記ユーザーの前記支払金額を含む前記レシートを発行する上記（１）に記載のレシート発行システム。
【００１２】
（３）前記レシート発行モジュールは、前記換算対象に換算された前記ユーザーの前記支払金額を表す画像を含むレシートを発行する上記（１）または（２）に記載のレシート発行システム。
【００１３】
（４）換算対象に換算されたユーザーの支払金額を含むレシートを発行するためのレシート発行方法であって、
プロセッサーを用いて、前記ユーザーによって指定された支払情報提供者から、前記ユーザーの前記支払金額を含む支払情報を取得する工程と、
前記プロセッサーを用いて、前記支払情報およびデータベース内に保存されている換算対象情報に基づいて、前記ユーザーの前記支払金額を前記換算対象に換算する工程と、
前記プロセッサーを用いて、前記換算対象に換算された前記ユーザーの前記支払金額を含むレシートを発行する工程と、を含むことを特徴とするレシート発行方法。
【００１４】
（５）換算対象に換算されたユーザーの支払金額を含むレシートを発行するためにコンピューターにより実行されるコンピューター可読命令を保存している非一時的コンピューター可読媒体であって、前記コンピューター可読命令は、
前記ユーザーによって指定された支払情報提供者から、前記ユーザーの前記支払金額を含む支払情報を取得するための命令と、
前記支払情報およびデータベース内に保存されている換算対象情報に基づいて、前記ユーザーの前記支払金額を前記換算対象に換算するための命令と、
前記換算対象に換算された前記ユーザーの前記支払金額を含むレシートを発行するための命令と、を含むことを特徴とする非一時的コンピューター可読媒体。
【発明の効果】
【００１５】
本発明によれば、ユーザーによって指定された換算対象に換算されたユーザーの支払金額を含むレシートを発行することができる。そのため、実際の紙幣や硬貨を使う機会が減少した大人や金銭感覚の未熟な子供であっても、発行されたレシートを確認することによって、ユーザーの支払金額がどの程度の価値に相当するのかを容易に理解することができる。これにより、電子マネーまたは電子決済の利用による金銭感覚の麻痺や浪費癖を防止することができる。
【図面の簡単な説明】
【００１６】
【図１】本発明のレシート発行システムのネットワーク実施を示す図である。
【図２】図１に示すレシート発行システムのブロック図である。
【図３】図１に示すレシート発行システムにおいて実行されるユーザーの登録処理を示すフローチャートである。
【図４】図３に示すユーザーの登録処理においてユーザーデバイスに表示される画面の例を示す図である。
【図５】図１に示すレシート発行システムによって発行されるレシートの例を示す図である。
【図６】本発明のレシート発行方法を示すフローチャートである。
【発明を実施するための形態】
【００１７】
以下、本発明のレシート発行システム、レシート発行方法、および非一時的コンピューター可読媒体を添付の図面に基づいて詳細に説明する。
【００１８】
図１は、本発明のレシート発行システムのネットワーク実施を示す図である。図２は、図１に示すレシート発行システムのブロック図である。図３は、図１に示すレシート発行システムにおいて実行されるユーザーの登録処理を示すフローチャートである。図４は、図３に示すユーザーの登録処理においてユーザーデバイスに表示される画面の例を示す図である。図５は、図１に示すレシート発行システムによって発行されるレシートの例を示す図である。
【００１９】
本発明のレシート発行システム１００は、デスクトップコンピューター、ラップトップコンピューター、ノートパソコン、ワークステーション、メインフレームコンピューター、サーバー、タブレット型コンピューター、携帯電話、スマートフォン、ウェアラブル端末等の様々な演算デバイス内において実施可能である。以下の説明において、レシート発行システム１００は、図１に示すようなネットワーク１０２に接続されたサーバー内において実施されているものとして説明される。
【００２０】
レシート発行システム１００は、ネットワーク１０２を介して、レシート発行システム１００を利用する任意の数のユーザーのユーザーデバイス１０４＿１、１０４＿２、・・・、１０４＿Ｎ（以下、集合的にユーザーデバイス１０４という）、および任意の数のユーザーによって指定された支払情報提供者のデバイス１０６＿１、１０６＿２、・・・、１０６＿Ｍ（以下、集合的に支払情報提供者デバイス１０６という）に通信可能に接続されている。
【００２１】
ネットワーク１０２は、イントラネット、ローカルエリアネットワーク（ＬＡＮ）、ワイドエリアネットワーク（ＷＡＮ）、インターネット、これらの組み合わせ等の広範なネットワークである。また、ネットワーク１０２は、専用ネットワークであってもよいし、共有ネットワークであってもよい。共有ネットワークは、様々な種類のネットワーク同士の接続であり、各種プロトコル（例えば、ＨＴＴＰ、ＴＣＰ／ＩＰ、ＷＡＰ）を用いて、互いに通信を行う。さらに、ネットワーク１０２は、ルーター、ブリッジ、サーバー、演算デバイス、ストレージデバイス等を含む様々なネットワークデバイスを含んでいてもよい。
【００２２】
ユーザーデバイス１０４は、例えば、デスクトップコンピューター、ラップトップコンピューター、ノートパソコン、ワークステーション、タブレット型コンピューター、携帯電話、スマートフォン、ＰＤＡ、店舗において支払処理に用いられる精算機（ＣＡＴ端末やレジ端末）等の任意の情報端末であり、ネットワーク１０２を介してレシート発行システム１００に通信可能に接続されている。
【００２３】
レシート発行システム１００を利用するユーザーは、ユーザーデバイス１０４を用いてレシート発行システム１００にアクセスし、自身のユーザー情報１６１、ユーザーによって指定された支払情報提供者に関する支払情報提供者情報１６２、およびユーザーによって指定された換算対象に関する換算対象情報１６３の登録、閲覧、更新、追加等の様々な処理を行うことができる。また、ユーザー情報１６１、支払情報提供者情報１６２および換算対象情報１６３の登録、閲覧、更新、追加等の処理は、ユーザーだけでなく、各処理を実行する権限を有するレシート発行システム１００の管理者または操作者によって実行することもできる。この場合、例えば、複数のユーザーを管理するレシート発行システム１００の管理者（例えば、レシート発行システム１００を導入した店舗や会社の管理者）は、登録されている各ユーザーのユーザー情報１６１、支払情報提供者情報１６２および換算対象情報１６３の登録、閲覧、更新、追加等の処理を実行可能となっている。
【００２４】
支払情報提供者デバイス１０６は、レシート発行システム１００にユーザーの支払情報を提供する支払情報提供者が有するサーバー、コンピューター等の任意の情報処理システムであり、ネットワーク１０２を介してレシート発行システム１００に通信可能に接続されている。なお、ここでいう「支払情報提供者」は、クレジットカード会社、オンラインショッピング会社、オンラインゲーム提供者等の電子マネーまたは電子決済（例えば、クレジットカードを用いた決済）を介してユーザーからの料金の支払いを受ける任意の商品および／またはサービスの提供者である。
【００２５】
ユーザーは、ユーザーデバイス１０４を用いて支払情報提供者デバイス１０６にアクセスし、クレジットカードの利用、オンラインショッピングの実行、オンラインゲームに対する課金等を、電子マネーまたは電子決済を利用することにより実行する。電子マネーまたは電子決済を利用したユーザーによる支払情報提供者への料金の支払いが終了すると、支払情報提供者デバイス１０６は、所定の時間間隔（支払い毎、毎日、毎週、毎月、毎年、カスタマイズされた期間等）で、レシート発行システム１００に対してユーザーの支払情報を提供する。
【００２６】
ユーザーの支払情報には、ユーザー名やユーザーＩＤ等のユーザーを特定するための情報、ユーザーが商品および／またはサービスを購入した日時、購入された商品および／またはサービスの名前および料金、およびレシート発行システム１００がユーザーに対してレシートを発行するために必要なその他任意の情報が含まれている。レシート発行システム１００は、支払情報提供者デバイス１０６から受信したユーザーの支払情報に基づいて、ユーザーに対してレシートを発行する。
【００２７】
なお、後述するように、支払情報提供者は、ユーザーのレシート発行システム１００に対する登録時に、ユーザーによって指定される。レシート発行システム１００は、ユーザーのレシート発行システム１００に対する登録時に、ユーザーによって支払情報提供者が指定されると、指令された支払情報提供者に対し、ユーザーによって指定されたことを、ユーザーのユーザー情報およびユーザーによって指定されたレシートの発行間隔（支払い毎、毎日、毎週、毎月、毎年等）と共に通知する。通知を受けた支払情報提供者は、該ユーザーの支払情報提供者に対する料金の支払いについての支払情報を、ユーザーによって指定されたレシートの発行間隔で、支払情報提供者デバイス１０６からレシート発行システム１００に送信する。
【００２８】
また、ユーザーによって指定される支払情報提供者は、１つであってもよく、複数であってもよい。ユーザーによって指定される支払情報提供者が複数である場合、レシート発行システム１００は、該ユーザー用に、指定された複数の支払情報提供者から支払情報を取得し、レシートを発行する。なお、レシート発行システム１００からユーザーに発行されるレシートは、支払情報提供者毎のレシートであってもよいし、所定の期間（支払い毎、毎日、毎週、毎月、毎年等）における複数の支払情報提供者からの支払情報に基づいて作成された１種類のレシートであってもよい。
【００２９】
図２に示すように、レシート発行システム１００は、少なくとも１つのプロセッサー１１０と、Ｉ／Ｏ（入出力）インターフェース１２０と、プロセッサー１１０に通信可能に接続された少なくとも１つのメモリー１３０と、プロセッサー１１０に通信可能に接続されたデータベース１６０とを含む。レシート発行システム１００の各コンポーネントは、システムバス等の種々のバスを介して相互通信可能に接続されている。
【００３０】
プロセッサー１１０は、例えば、１つ以上のマイクロプロセッサー、マイクロコンピューター、マイクロコントローラー、デジタル信号プロセッサー、ＣＰＵ、状態機械、論理回路、ＡＳＩＣ、またはこれらの組み合わせ等のコンピューター可読命令に基づいて信号操作等の演算処理を実行する演算ユニットである。特に、プロセッサー１１０は、メモリー１３０内に保存されているコンピューター可読命令をフェッチし、信号を操作するよう構成されている。
【００３１】
Ｉ／Ｏインターフェース１２０は、ウェブインターフェース、グラフィカルユーザーインターフェース（ＧＵＩ）等の様々なソフトウェアインターフェース、またはハードウェアインターフェースである。Ｉ／Ｏインターフェース１２０は、レシート発行システム１００が、ユーザーデバイス１０４および支払情報提供者デバイス１０６と相互通信することを可能とする。また、Ｉ／Ｏインターフェース１２０は、レシート発行システム１００が、外部に設けられたウェブサーバーやデータサーバーのような外部デバイスと通信を行うことを可能とする。
【００３２】
メモリー１３０は、揮発性記憶媒体（例えば、ＲＡＭ、ＳＲＡＭ、ＤＲＡＭ）、不揮発性記憶媒体（例えば、ＲＯＭ、ＥＰＲＯＭ、ＥＥＰＲＯＭ、フラッシュメモリー、ハードディスク、光ディスク、ＣＤ−ＲＯＭ、デジタル多用途ディスク（ＤＶＤ）、磁気カセット、磁気テープ、磁気ディスク）、またはこれらの組み合わせ等の着脱式または非着脱式のコンピューター可読媒体である。
【００３３】
メモリー１３０は、プロセッサー１１０により実行可能な複数のモジュール１４０を保存しており、さらに、モジュール１４０によって受信、処理、生成されたデータを保存するためのデータレポジトリ１５０を含んでいる。
【００３４】
モジュール１４０は、ルーティーン、アプリケーション、プログラム、アルゴリズム、ライブラリー、オブジェクト、コンポーネント、データ構造、またはこれらの組み合わせ等のプロセッサー１１０により実行可能なコンピューター可読命令である。
【００３５】
モジュール１４０は、ユーザー登録モジュール１４１と、支払情報取得モジュール１４２と、換算モジュール１４３と、レシート発行モジュール１４４と、レシート発行システム１００が提供するコンテンツまたは機能を補うための任意の数のその他モジュール１４５とを含む。
【００３６】
データベース１６０は、レシート発行システム１００がユーザーのレシートを発行するために必要とされるデータを保存している任意の不揮発性記憶媒体（例えば、ハードディスク、サーバー、フラッシュメモリー）である。データベース１６０は、レシート発行システム１００を利用するユーザーのユーザー情報１６１と、各ユーザーによって指定された支払情報提供者に関する支払情報提供者情報１６２と、各ユーザーによって指定された換算対象に関する換算対象情報１６３とを保存している。
【００３７】
＜ユーザー登録モジュール１４１＞
ユーザー登録モジュール１４１は、レシート発行システム１００に対するユーザーの登録処理Ｓ１００を実行する。ユーザーは、ユーザーデバイス１０４を用いてレシート発行システム１００にアクセスし、レシート発行システム１００に対する自身の登録処理Ｓ１００を実行する。図３は、ユーザー登録モジュール１４１によって実行されるユーザーの登録処理Ｓ１００を示すフローチャートである。また、図４は、ユーザー登録モジュール１４１によって実行されるユーザーの登録処理Ｓ１００において、ユーザーデバイス１０４に表示される画面の例を示す図である。
【００３８】
ユーザーの登録処理Ｓ１００が開始されると、工程Ｓ１０２において、ユーザーは、ユーザーデバイス１０４を用いて、レシート発行システム１００に対して自身のユーザー情報１６１を入力する。図４に示すように、ユーザー情報１６１は、ユーザーの名前、性別、年齢、住所、電子レシートの発行先のメールアドレス、紙媒体のレシートの発行を希望するか否か、レシートの発行頻度（発行間隔）、および、レシート発行システム１００の処理に必要または有用なユーザーに関するその他任意の情報を含んでいる。
【００３９】
次に、工程Ｓ１０４において、ユーザーは、ユーザーデバイス１０４を用いて、支払情報提供者に関する支払情報提供者情報１６２を入力し、支払情報提供者を指定する。図４に示すように、支払情報提供者情報１６２は、支払情報提供者の名前等の支払情報提供者を特定するための情報を含む。なお、工程Ｓ１０４において、ユーザーは、支払情報提供者情報１６２は、支払情報提供者の名前だけでなく、支払情報提供者のホームページアドレスや所在地等の支払情報提供者を特定するための追加的な情報をさらに入力してもよく、また、支払情報提供者がユーザーを特定するための情報（例えば、支払情報提供者が提供するサービスを利用するためにユーザーに割り振られたＩＤ番号、パスワード等）を入力してもよい。
【００４０】
次に、工程Ｓ１０６において、ユーザーは、ユーザーデバイス１０４を用いて、換算対象に関する換算対象情報１６３を入力し、換算対象を指定する。図４に示すように、換算対象情報１６３は、換算対象の名前等の換算対象を特定するための情報と、換算対象１つ当りの値段とを含む。換算対象は、りんご、オレンジ、おもちゃ、車、家、土地のような具体的な物品であってもよいし、コンビニのバイトの時給、１ヶ月の公共料金（電気、ガス、水道料金）、１ヶ月の携帯電話利用料金、電車で１駅移動するために必要な料金、タクシーで１ｋｍ移動するための料金のような具体的なサービスであってもよいし、毎月のお小遣い、毎月の給料のような、物品やサービスではなく、ユーザーが自身で設定する任意の対象であってもよい。
【００４１】
なお、換算対象１つ当りの値段は、固定値であってもよいし、変動値であってもよい。この場合、レシート発行システム１００は、Ｉ／Ｏインターフェース１２０を用いて、ネットワーク１０２を介して変動する換算対象１つ当りの値段を随時取得して、後述するユーザーの支払い金額の換算に利用する。例えば、換算対象として「１ドル」が指定された場合、レシート発行システム１００は、Ｉ／Ｏインターフェース１２０を用いて、ネットワーク１０２を介して１ドル当たりの日本円の値段を随時取得し、取得した１ドル当たりの日本円の値段を用いてユーザーの支払い金額の換算を実行する。
【００４２】
また、図示の例では、ユーザーは、換算対象を１つ指定するが、本発明はこれに限られない。例えば、ユーザーは、複数の換算対象を指定し、さらに、指定した複数の換算対象のどれを用いるかについての条件を設定してもよい。例えば、支払情報提供者Ａへの支払いについては、換算対象ａを用いて支払金額の換算を行い、支払情報提供者Ｂへの支払いについては、換算対象ｂを用いて支払金額の換算を行うような条件を設定してもよい。
【００４３】
工程Ｓ１０６がユーザーによって実行されると、ユーザー登録モジュール１４１は、ユーザーによって入力されたユーザー情報１６１と、支払情報提供者情報１６２と、換算対象情報１６３とを関連付けてデータベース１６０内に保存し、ユーザーの登録処理を実行する。その後、ユーザー登録モジュール１４１は、工程Ｓ１０８において、ユーザーによって指令された支払情報提供者に対し、ユーザーによって指定されたことを、ユーザーによって指定されたレシートの発行間隔（支払い毎、毎日、毎週、毎月、毎年等）を含むユーザー情報１６１と共に通知する。通知を受けた支払情報提供者は、該ユーザーの支払情報提供者に対する料金の支払いについての支払情報を、ユーザーによって指定されたレシートの発行間隔で、支払情報提供者デバイス１０６からレシート発行システム１００に送信する。
【００４４】
このようにして支払情報提供者デバイス１０６から送信されたユーザーの支払情報に基づいて、レシート発行システム１００は、所定の間隔でユーザーに対してレシートを発行することができる。
【００４５】
＜支払情報取得モジュール１４２＞
図２に戻り、支払情報取得モジュール１４２は、ユーザーによって指定された支払情報提供者の支払情報提供者デバイス１０６から、ユーザーによって指定された所定の間隔で、該ユーザーの支払情報提供者に対する料金の支払いについての支払情報を、ネットワーク１０２を介して受信する。
【００４６】
＜換算モジュール１４３＞
換算モジュール１４３は、支払情報取得モジュール１４２が取得したユーザーの支払情報およびデータベース１６０内に保存されているユーザーの換算対象情報１６３に基づいて、ユーザーの支払金額を、ユーザーによって指定された換算対象に換算する。
【００４７】
具体的には、換算モジュール１４３は、支払情報取得モジュール１４２が取得したユーザーの支払情報に含まれる支払金額を、データベース１６０内に保存されている換算対象情報１６３に含まれる換算対象１つ当りの値段で除算することにより、ユーザーの支払金額を、換算対象に換算する。
【００４８】
例えば、支払情報に含まれるユーザーの支払金額が１５００円であり、ユーザーによって指定された換算対象が「りんご」であり、かつ、換算対象１つ当りの値段が２００円である場合、換算モジュール１４３は、支払金額である１５００円を換算対象１つ当りの値段である２００円で除算することにより、支払金額を、りんご７．５個と換算する。
【００４９】
＜レシート発行モジュール１４４＞
レシート発行モジュール１４４は、換算モジュール１４３によって換算対象に換算されたユーザーの支払金額を含むレシートを生成および発行する。具体的には、レシート発行モジュール１４４は、換算モジュール１４３によって換算対象に換算されたユーザーの支払金額を含むレシートを生成し、データベース１６０内に保存されているユーザー情報１６１に含まれるユーザーのメールアドレスに対して電子レシート（ＰＤＦファイル等の電子データの形式で発行されるレシート）を発行する。また、ユーザー情報１６１内にユーザーが紙媒体のレシートの発行を希望していることを示す情報が含まれている場合には、レシート発行モジュール１４４は、ユーザーのメールアドレスに対して電子レシートを発行するとともに、紙媒体のレシートをユーザー情報１６１内に含まれるユーザーの住所に郵送するための処理を実行する。
【００５０】
また、ユーザーデバイス１０４やレシート発行システム１００と通信可能に接続された任意のデバイスがプリンター等の印刷手段を有している場合、レシート発行モジュール１４４は、該印刷手段に信号を送り、紙媒体のレシートを印刷することにより、ユーザーにレシートを発行してもよい。
【００５１】
図５には、レシート発行モジュール１４４によって発行されるレシートの例が示されている。図５（ａ）に示す例では、レシートの発行間隔は支払毎であり、換算対象はりんごとなっている。図５（ｂ）に示す例では、レシートの発行間隔は所定の間隔（例えば、毎月）であり、換算対象は毎月のお小遣いとなっている。図５（ａ）および図５（ｂ）に示すようなレシート（電子レシート）が、ユーザーのメールアドレスに対して発行され、任意選択的に、紙媒体に印刷された図５（ａ）および図５（ｂ）に示すようなレシートがユーザーの住所に送付、または、ユーザーデバイス１０４等が有する印刷手段により印刷される。
【００５２】
図５（ａ）および図５（ｂ）に示すように、レシート発行モジュール１４４によって発行されるレシートは、ユーザーの名前、支払日時または支払期間、支払金額、換算対象の名称、換算対象１つ当りの値段、換算後の支払金額等の情報を含んでいる。なお、図５（ａ）および図５（ｂ）に示すレシートは、例示にすぎず、本発明のレシート発行モジュール１４４によって生成および発行されるレシートは、ユーザーが支払った金額がどの程度の価値に相当するのかを容易に理解するために有用な任意のその他情報を含んでいてもよい。
【００５３】
また、レシートは、「りんご７．５個」のような換算後の支払金額を表す文字、図５（ａ）および図５（ｂ）に示すような換算後の支払金額を表す画像、または換算後の支払金額を表す文字と画像の組み合わせを含んでいる。レシートが換算後の支払金額を示す画像を含んでいる場合、ユーザー（特に、実際の紙幣や硬貨を使う機会が減少した大人や金銭感覚の未熟な子供）は、レシート上に表示または印刷された画像を確認することにより、支払った金額がどの程度の価値に相当するのかを容易に理解することができる。
【００５４】
このような構成を有することにより、本発明のレシート発行システム１００は、所定の時間間隔でユーザーに対して、換算対象に換算されたユーザーの支払金額を含むレシートを発行することができる。
【００５５】
レシート発行システム１００（レシート発行モジュール１４４）によって発行されるレシートを確認することにより、レシート発行システム１００のユーザーは、支払った金額がどの程度の価値に相当するのかを容易に理解することができる。そのため、本発明のレシート発行システム１００を利用することにより、電子マネーまたは電子決済の利用によるユーザー（特に、実際の紙幣や硬貨を使う機会が減少した大人や金銭感覚の未熟な子供）の金銭感覚の麻痺や浪費癖を防止することができる。
【００５６】
以上の説明は、レシート発行システム１００が、図１に示すようなネットワーク１０２に接続されたサーバー内において実施されているものとして提供されたが、本発明はこれに限られない。例えば、実施形態の１つにおいて、レシート発行システム１００は、スーパーやデパート等の小売店舗内に設置された精算機（ＣＡＴ端末やレジ端末）内において実施されていてもよいし、各ユーザーのユーザーデバイス１０４内において実施されていてもよい。
【００５７】
レシート発行システム１００が小売店舗内に設置された精算機内において実施される場合、支払情報提供者はレシート発行システム１００が実施されている精算機自身となる。この場合、ユーザーが小売店において買い物を行う際、ユーザーは自身の会員カードを小売店の店員に提供、または、自身の氏名・住所等のユーザーを特定するための情報を小売店の店員に提示する。小売店の店員は、ユーザーの会員カードを精算機に読み込ませ、または、ユーザーを特定するための情報を精算機に入力する。その後、ユーザーは、買い物の支払いを現金、電子マネーまたは電子決済を利用して実行する。この際、精算機内において実施されているレシート発行システム１００は、精算機からユーザーの支払情報を取得し、ユーザーの支払金額を換算対象に換算して、レシートを発行する。このレシートは、精算機によって紙媒体に印刷され、小売店の店員からユーザーに手渡される。このような様態もまた、本発明の範囲内である。
【００５８】
また、本実施形態において、メモリー１３０およびデータベース１６０は、プロセッサー１１０が搭載されている演算デバイス内に設けられているが、本発明はこれに限られない。例えば、メモリー１３０およびデータベース１６０のそれぞれは、該演算デバイスの外部に、プロセッサー１１０と通信可能に設けられた遠隔デバイスであってもよい。
【００５９】
さらに、異なる実施形態の１つにおいて、本発明は、コンピューター実行可能命令（すなわち、モジュール１４０）を保存しているコンピューター可読媒体（すなわち、メモリー１３０）である。該コンピューター実行可能命令は、特定のタスクまたは機能を実現するためのコンピューター実行可能命令（すなわち、ユーザー登録モジュール１４１、支払情報取得モジュール１４２、換算モジュール１４３、レシート発行モジュール１４４、およびその他モジュール１４５）を含んでいる。
【００６０】
次に、図６を参照して、本発明のレシート発行方法Ｓ２００について説明する。図６は、本発明のレシート発行方法を示すフローチャートである。
【００６１】
本発明のレシート発行方法Ｓ２００は、ユーザーに対して、換算対象に換算されたユーザーの支払金額を含むレシートを発行するためにコンピューター実施される方法である。レシート発行方法Ｓ２００は、任意の適切なハードウェア、ソフトウェア、ファームフェア、およびこれらの組み合わせにおいて実施することができるが、説明の簡略化のため、以下に説明される実施形態では、レシート発行方法Ｓ２００は、上述のレシート発行システム１００によって実施されているものとして説明する。
【００６２】
レシート発行方法Ｓ２００は、ユーザーによって指定された支払情報提供者の支払情報提供者デバイス１０６から、ユーザーによって指定された所定の間隔（例えば、毎日、毎週、毎月、毎年等）で、該支払情報提供者に対するユーザーの電子マネーまたは電子決済を利用した支払いに関する支払情報がレシート発行システム１００に送信されると開始される。
【００６３】
工程Ｓ２０２において、支払情報取得モジュール１４２を用いたプロセッサー１１０によって、ユーザーによって指定された支払情報提供者の支払情報提供者デバイス１０６から、該支払情報提供者に対するユーザーの電子マネーまたは電子決済を利用した支払いに関する支払情報が取得される。
【００６４】
工程Ｓ２０４において、換算モジュール１４３を用いたプロセッサー１１０によって、支払情報取得モジュール１４２が取得したユーザーの支払情報およびデータベース１６０内に保存されているユーザーの換算対象情報１６３に基づいて、ユーザーの支払金額が、ユーザーによって指定された換算対象に換算される。
【００６５】
工程Ｓ２０６において、レシート発行モジュール１４４を用いたプロセッサー１１０によって、換算モジュール１４３によって換算対象に換算されたユーザーの支払金額を含むレシートが生成される。
【００６６】
工程Ｓ２０８において、レシート発行モジュール１４４を用いたプロセッサー１１０によって、工程Ｓ２０６において生成されたレシートが、データベース１６０内に保存されているユーザー情報１６１に含まれるユーザーのメールアドレスに対して電子的に発行される。また、ユーザー情報１６１内にユーザーが紙媒体のレシートの発行を希望していることを示す情報が含まれている場合には、レシート発行モジュール１４４を用いたプロセッサー１１０によって、ユーザーのメールアドレスに対して電子レシートを発行するとともに、紙媒体のレシートをユーザー情報１６１内に含まれるユーザーの住所に郵送するための処理が実行される。また、ユーザーデバイス１０４やレシート発行システム１００と通信可能に接続された任意のデバイスがプリンター等の印刷手段を有している場合、レシート発行モジュール１４４を用いたプロセッサー１１０によって、該印刷手段に信号が送られ、紙媒体のレシートを印刷され、ユーザーにレシートが発行される。工程Ｓ２０８においてユーザーに対してレシートが発行されると、レシート発行方法Ｓ２００が終了する。
【００６７】
以上、本発明のレシート発行システム、レシート発行方法、および非一時的コンピューター可読媒体を図示の実施形態に基づいて説明したが、本発明は、これに限定されるものではない。本発明の各構成は、同様の機能を発揮し得る任意のものと置換することができ、あるいは、本発明の各構成に任意の構成のものを付加することができる。
【００６８】
例えば、図２に示されたレシート発行システム１００のモジュールの数や種類は、説明のための例示にすぎず、本発明は必ずしもこれに限られない。本発明の原理および意図から逸脱しない範囲において、任意のモジュールが追加若しくは組み合わされ、または任意のモジュールが削除される様態も、本発明の範囲内である。
【００６９】
また、図３に示された登録処理Ｓ１００や図６に示されたレシート発行方法Ｓ２００の工程の数や種類は、説明のための例示にすぎず、本発明は必ずしもこれに限られない。本発明の原理および意図から逸脱しない範囲において、任意の工程が、任意の目的で追加若しくは組み合され、または、任意の工程が削除される様態も、本発明の範囲内である。
【符号の説明】
【００７０】
１００…レシート発行システム
１０２…ネットワーク
１０４…ユーザーデバイス
１０６…支払情報提供者デバイス
１１０…プロセッサー
１２０…Ｉ／Ｏインターフェース
１３０…メモリー
１４０…モジュール
１４１…ユーザー登録モジュール
１４２…支払情報取得モジュール
１４３…換算モジュール
１４４…レシート発行モジュール
１４５…その他モジュール
１５０…データレポジトリ
１６０…データベース
１６１…ユーザー情報
１６２…支払情報提供者情報
１６３…換算対象情報
Ｓ１００…登録処理
Ｓ１０２、Ｓ１０４、Ｓ１０６、Ｓ１０８…工程
Ｓ２００…レシート発行方法
Ｓ２０２、Ｓ２０４、Ｓ２０６、Ｓ２０８…工程
【図１】
2018180835.tif 000003
【図２】
2018180835.tif 000004
【図３】
2018180835.tif 000005
【図４】
2018180835.tif 000006
【図５】
2018180835.tif 000007
【図６】
2018180835.tif 000008